(57)【要約】【課題】長尺体の拭き取りに対する耐久性を容易にかつ精度よく評価可能な拭取試験装置及び拭取試験方法を提供する。【解決手段】長尺体２の外表面の拭き取りに対する耐久性を試験するための装置であって、長尺体２の外表面を構成する部材からなる試験片５が外表面５ａを外側として外周に巻き付けられる回転ドラム３１、及び、回転ドラム３１を回転させる回転機構３２を有する移動機構３と、試験片５の外表面５ａを拭き取るための拭取布４１、及び、回転ドラム３１に巻き付けられた試験片５の外表面５ａに押し付けた状態で拭取布４１を保持する保持機構４２を有する拭取セル４と、を備えた。【選択図】図１
2020118511.tif 000002
【特許請求の範囲】
【請求項１】
長尺体の外表面の拭き取りに対する耐久性を試験するための装置であって、
前記長尺体の外表面を構成する部材からなる試験片が前記外表面を外側として外周に巻き付けられる回転ドラム、及び、前記回転ドラムを回転させる回転機構を有する移動機構と、
前記試験片の前記外表面を拭き取るための拭取布、及び、前記回転ドラムに巻き付けられた前記試験片の前記外表面に押し付けた状態で前記拭取布を保持する保持機構を有する拭取セルと、を備えた、
拭取試験装置。
【請求項２】
前記試験片は、その両端部同士を連結して環状の状態とされ前記回転ドラムの外周に固定されており、
前記回転ドラムの外周面の一部に、前記試験片の両端部同士を連結する連結部を収容するための凹部が形成されている、
請求項１に記載の拭取試験装置。
【請求項３】
長尺体の外表面の拭き取りに対する耐久性を試験するための方法であって、
前記長尺体の外表面を構成する部材からなる試験片を形成し、前記試験片を前記外表面を外側として回転ドラムの外周に巻き付け、前記回転ドラムを回転させ、
前記試験片の前記外表面を拭き取るための拭取布を、前記回転ドラムに巻き付けられた前記試験片の前記外表面に押し付けた状態で保持する、
拭取試験方法。
【発明の詳細な説明】
【技術分野】
【０００１】
本発明は、拭取試験装置及び拭取試験方法に関する。
【背景技術】
【０００２】
医療用途等に使用されるケーブルやチューブ等の長尺体では、その清浄性を保持するため、使用前、使用後に消毒液を含浸したガーゼ等を使い、手拭で表面の汚れを除去する拭き取り作業が行われる。このため、医療用途等に使用される長尺体は、拭き取り作業を重ねても、表面に削れ、変色などの劣化が生じないことが求められる。
【０００３】
近年では、医療用途等に使用される長尺体として、シリコーンゴムからなるシースの外表面に、べたつきを押えるため、コーティング層を有するものが用いられてきている（例えば特許文献１参照）。そのため、このコーティング層の拭き取り作業に対する耐性を評価することが求められている。
【先行技術文献】
【特許文献】
【０００４】
【特許文献１】特開２０１７−１９５０２３号公報
【発明の概要】
【発明が解決しようとする課題】
【０００５】
従来、消毒液等による長尺体の拭き取り作業を的確に模擬できる試験方法は確立されておらず、例えば、消毒液を含浸した不織布等を用いて所望の回数実際に手拭をして、その後の変色や削れ状態を評価するしかなかった。しかしながら、この方法では、拭き取りの際の力を一定とするための管理コストが大きくなってしまい、また、試験を行う回数（拭取り回数）が多くなると、非常に手間がかかるという課題があった。
【０００６】
そこで、本発明は、長尺体の拭き取りに対する耐久性を容易にかつ精度よく評価可能な拭取試験装置及び拭取試験方法を提供することを目的とする。
【課題を解決するための手段】
【０００７】
本発明は、上記課題を解決することを目的として、長尺体の外表面の拭き取りに対する耐久性を試験するための装置であって、前記長尺体の外表面を構成する部材からなる試験片が前記外表面を外側として外周に巻き付けられる回転ドラム、及び、前記回転ドラムを回転させる回転機構を有する移動機構と、前記試験片の前記外表面を拭き取るための拭取布、及び、前記回転ドラムに巻き付けられた前記試験片の前記外表面に押し付けた状態で前記拭取布を保持する保持機構を有する拭取セルと、を備えた、拭取試験装置を提供する。
【０００８】
また、本発明は、上記課題を解決することを目的として、長尺体の外表面の拭き取りに対する耐久性を試験するための方法であって、前記長尺体の外表面を構成する部材からなる試験片を形成し、前記試験片を前記外表面を外側として回転ドラムの外周に巻き付け、前記回転ドラムを回転させ、前記試験片の前記外表面を拭き取るための拭取布を、前記回転ドラムに巻き付けられた前記試験片の前記外表面に押し付けた状態で保持する、拭取試験方法を提供する。
【発明の効果】
【０００９】
本発明によれば、長尺体の拭き取りに対する耐久性を容易にかつ精度よく評価可能な拭取試験装置及び拭取試験方法を提供できる。
【図面の簡単な説明】
【００１０】
【図１】本発明の一実施の形態に係る拭取試験装置の概略構成図であり、（ａ）は斜視図、（ｂ）は側面図である。
【図２】（ａ）は長尺体の斜視図、（ｂ）は試験片の斜視図である。
【発明を実施するための形態】
【００１１】
［実施の形態］
以下、本発明の実施の形態を添付図面にしたがって説明する。
【００１２】
図１は、本実施の形態に係る拭取試験装置の概略構成図であり、（ａ）は斜視図、（ｂ）は側面図である。また、図２（ａ）は長尺体の斜視図、図２（ｂ）は試験片の斜視図である。
【００１３】
図１及び図２に示すように、拭取試験装置１は、長尺体２の外表面の拭き取りに対する耐久性を試験するための装置であって、移動機構３と、拭取セル４と、を備えている。
【００１４】
（長尺体２）
長尺体２は、医療用途等に使用されるケーブルやチューブであり、例えば、超音波診断用のプローブケーブル等である。長尺体２としては、シリコーンからなるシースを有し、その外表面に、べたつきを押えるためのコーティング層を有するものを用いてもよい。つまり、拭取試験装置１は、コーティング層の拭き取りに対する耐久性を試験するためのものであってもよい。
【００１５】
本実施の形態では、長尺体２の一部を試験片５として用い、その試験片５に対して拭取試験を実施する。試験片５は、長尺体２の外表面を構成する部材を帯状に加工して形成される。例えば、長尺体２がチューブである場合、当該チューブを所定長さに切断すると共に、切断したチューブに長手方向に沿って切れ目を入れ、切れ目から開いて帯状とすることで、試験片５が形成される。または、所定の長さに切断したチューブを長手方向に沿って半割して帯状とすることで、試験片５が形成される。長尺体２がケーブルである場合、例えば、当該ケーブルを所定長さに切断すると共に、ケーブルのシースに長手方向に沿って切れ目を入れ、ケーブルからシースを取り外して帯状とすることで、試験片５が形成される。試験片５の長さは、後述する回転ドラムのサイズ（外径）を考慮して決定される。
【００１６】
（移動機構３）
移動機構３は、回転ドラム３１と、回転ドラム３１を回転させるモータ等の回転機構３２と、を有している。回転ドラム３１の外周には、試験片５が外表面５ａを外側として巻き付けられる。
【００１７】
試験片５は、その両端部同士を連結して環状の状態とされ回転ドラム３１の外周に固定されている。より詳細には、試験片５は、その両端部同士を重ね合わせ、その重ね合わせた部分をホチキス等の固定部材５１を用いて固定することで、環状の状態とされている。以下、試験片５の端部同士を連結している部分（両端部同士を重ね合わせている部分）を連結部５２と呼称する。
【００１８】
回転ドラム３１は、回転機構３２から延びる回転軸３２１が挿入され固定される軸挿入孔３１１ａを有する円筒状の軸連結部３１１と、軸連結部３１１の外周を覆うように設けられ、その外周面３１２ａに試験片５が設けられる外周部３１２と、を有している。また、回転ドラム３１の外周面３１２ａの一部には、試験片５の連結部５２を収容するための凹部３１３が形成されている、ここでは、外周部３１２の周方向の一部を欠損させて、外周部３１２を側面視で略Ｃ字状に形成することで、凹部３１３を形成した。凹部３１３を形成することで、連結部５２が拭取セル４に引っ掛かる等の不具合を抑制することができる。また、連結部５２が拭取セル４に接触しなくなるため、試験片５の両端部をホチキスで固定する等の簡単な作業で連結部５２を形成することができ、試験片５の取り付け、取り外しの作業を容易に行うことができる。
【００１９】
図示していないが、移動機構３は、回転ドラム３１の回転数を検出することで、拭取回数を検出する拭取回数検出手段を有していてもよい。拭取回数検出手段は、例えば、回転ドラム３１に設けられた永久磁石等のマーカと、マーカを検出する磁気センサ等の検出部と、を有していてもよい。また、拭取回数検出手段は、回転機構３２の回転数を検出する手段であってもよい。さらにまた、拭取回数検出手段が検出した拭取回数が所定の回数となったときに、回転機構３２の駆動を停止させ拭取試験を終了させる駆動停止手段を備えてもよい。
【００２０】
（拭取セル４）
拭取セル４は、試験片５の外表面５ａを拭き取るための拭取布４１と、拭取布４１を回転ドラム３１に巻き付けられた試験片５の外表面５ａに押し付けた状態で保持する保持機構４２と、を有している。
【００２１】
拭取布４１としては、実際に拭き取り作業に使用する布、あるいは拭き取り時に実際に使用する布と略同等の影響を試験片５に与えるものを用いればよい。本実施の形態では、拭取布４１として、消毒液を含浸させた不織布を用いた。
【００２２】
保持機構４２は、回転ドラム３１の外周面３１２ａに沿う形状に形成された保持面４２ａを有する保持部材４２１と、保持部材４２１を回転ドラム３１側へと押圧する押圧部材４２２と、を有している。保持部材４２１の保持面４２ａに拭取布４１を載置し、押圧部材４２２により保持部材４２１を回転ドラム３１側へと押圧することで、拭取布４１が一定の圧力で試験片５の外表面５ａに押し付けられる。
【００２３】
本実施の形態では、拭取布４１に消毒液を含浸した状態で試験を行うため、試験中に拭取布４１が乾いてしまわないように対策する必要がある。そのため、拭取試験装置１は、拭取布４１に消毒液を供給する消毒液供給機構６をさらに備えることが望ましい。
【００２４】
消毒液供給機構６は、例えば、消毒液を貯留するタンク（不図示）と、タンクと拭取セル４とを連結する消毒液供給ライン６１と、消毒液供給ライン６１に設けられ、タンクからの消毒液を拭取セル４に供給するポンプ（不図示）と、を有している。なお、タンクやポンプを省略し、実験時に手作業で消毒液供給ライン６１から消毒液を適宜注入するようにしてもよい。
【００２５】
（拭取試験方法）
本実施の形態に係る拭取試験方法では、上述の拭取試験装置１を用い、長尺体２の外表面の拭き取りに対する耐久性を試験する。つまり、本実施の形態に係る拭取試験方法では、長尺体２の外表面を構成する部材を帯状に切り開いた試験片５を形成し、試験片５を外表面５ａを外側として回転ドラム３１の外周に巻き付け、回転ドラム３１を回転させ、試験片５の外表面５ａを拭き取るための拭取布４１を、回転ドラム３１に巻き付けられた試験片５の外表面５ａに押し付けた状態で保持する。
【００２６】
回転ドラム３１の回転数、すなわち拭取回数が所定の回数（例えば１万回）となるまで試験を継続し、試験終了後に試験片５の外表面５ａを観察することにより、長尺体２の拭き取りに対する耐久性を評価することができる。
【００２７】
（変形例）
例えば、長尺体２が、シリコーンゴムからなるシースの外表面に、べたつきを押えるためのコーティング層を設けたものである場合、コーティング層が剥がれるとべたつきが生じ、拭取セル４を通過する際の摩擦抵抗が大きくなる。そこで、回転ドラム３１の回転トルクを検出するトルクセンサを設け、トルクセンサで検出された回転トルクが予め設定した閾値以上となった際の拭取回数から、コーティング層が剥がれた拭取回数を検出可能としてもよい。
【００２８】
また、試験片５の外表面に付着した消毒液を乾燥させる乾燥手段をさらに備えてもよい。乾燥手段としては、試験片５の外表面５ａにエアーを吹き付けることで、消毒液を揮発させるエアーブロー式のものを用いることができる。乾燥手段を備えることで、消毒液が揮発せずに付着したままの試験片５が再度拭取セル４に導入されてしまうことを抑制でき、より再現性よく安定した拭取試験が可能となる。
【００２９】
（実施の形態の作用及び効果）
以上説明したように、本実施の形態に係る拭取試験装置１では、長尺体２の外表面を構成する部材からなる試験片５が外表面５ａを外側として外周に巻き付けられる回転ドラム３１、及び、回転ドラム３１を回転させる回転機構３２を有する移動機構３と、試験片５の外表面５ａを拭き取るための拭取布４１、及び、回転ドラム３１に巻き付けられた試験片５の外表面５ａに押し付けた状態で拭取布４１を保持する保持機構４２を有する拭取セル４と、を備えている。
【００３０】
このような構成の拭取試験装置１を用いることで、試験対象となる外表面５ａを均一に、一定圧で、かつ経時においても変化なく押さえることを容易に実現でき、再現性よく安定した拭取試験が可能となる。つまり、本実施の形態によれば、手作業で拭取試験を行う場合と比較して、長尺体２の拭き取りに対する耐久性を容易にかつ精度よく評価することが可能になる。また、手作業で拭取試験を行う場合には現実的ではない例えば数万回以上の拭取試験であっても、容易に行うことが可能になる。
【００３１】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００３２】
［１］長尺体（２）の外表面の拭き取りに対する耐久性を試験するための装置であって、前記長尺体（２）の外表面を構成する部材からなる試験片（５）が前記外表面（５ａ）を外側として外周に巻き付けられる回転ドラム（３１）、及び、前記回転ドラム（３１）を回転させる回転機構（３２）を有する移動機構（３）と、前記試験片（５）の前記外表面（５ａ）を拭き取るための拭取布（４１）、及び、前記回転ドラム（３１）に巻き付けられた前記試験片（５）の前記外表面（５ａ）に押し付けた状態で前記拭取布（４１）を保持する保持機構（４２）を有する拭取セル（４）と、を備えた、拭取試験装置（１）。
【００３３】
［２］前記試験片（５）は、その両端部同士を連結して環状の状態とされ前記回転ドラム（３１）の外周に固定されており、前記回転ドラム（３１）の外周面（３１２ａ）の一部に、前記試験片（５）の両端部同士を連結する連結部（５２）を収容するための凹部（３１３）が形成されている、［１］に記載の拭取試験装置（１）。
【００３４】
［３］長尺体（２）の外表面の拭き取りに対する耐久性を試験するための方法であって、前記長尺体（２）の外表面を構成する部材からなる試験片（５）を形成し、前記試験片（５）を前記外表面（５ａ）を外側として回転ドラム（３１）の外周に巻き付け、前記回転ドラム（３１）を回転させ、前記試験片（５）の前記外表面（５ａ）を拭き取るための拭取布（４１）を、前記回転ドラム（３１）に巻き付けられた前記試験片（５）の前記外表面（５ａ）に押し付けた状態で保持する、拭取試験方法。
【００３５】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００３６】
本発明は、その趣旨を逸脱しない範囲で適宜変形して実施することが可能である。例えば、上記実施の形態では、１つの回転ドラム３１に１つの試験片５を設けたが、これに限らず、１つの回転ドラム３１に複数の試験片５を設け、複数の試験片５に対して同時に拭取試験を行うように構成することもできる。
【符号の説明】
【００３７】
１…拭取試験装置
２…長尺体
３…移動機構
３１…回転ドラム
３１２ａ…外周面
３１３…凹部
３２…回転機構
４…拭取セル
４１…拭取布
４２…保持機構
５…試験片
５２…連結部
５ａ…外表面
【図１】
2020118511.tif 000003
【図２】
2020118511.tif 000004